(57)【要約】    【課題】警報表示灯付玄関子機の警報表示灯を点滅させるにあたり、セキュリティインターホン室内親機および警報表示灯付玄関子機の間の通話ラインの配線を警報表示灯用の配線として接続した場合において、通話ラインの配線を無極性にする。    【解決手段】セキュリティインターホン室内親機１との間で通話ラインを形成するために警報表示灯付玄関子機２に備えられるダイオードブリッジ回路２４の負出力側Ｐ24cを、警報表示灯２０を構成する発光ダイオードのカソードに接続する。    【選択図】  図１
2005109728.tif 000002
【特許請求の範囲】
【請求項１】
セキュリティインターホン室内親機（１）から警報表示灯付玄関子機（２）へと電源を供給し、前記警報表示灯付玄関子機のマイク（２１）はダイオードブリッジ回路（２４）を介して前記セキュリティインターホン室内親機に、前記警報表示灯付玄関子機のスピーカ（２２）は前記セキュリティインターホン室内親機に接続して前記セキュリティインターホン室内親機および前記警報表示灯付玄関子機の間で通話を行うとともに、前記セキュリティインターホン室内親機からの警報表示灯信号により前記警報表示灯付玄関子機の警報表示灯（２０）を点滅させるセキュリティインターホン装置であって、
前記警報表示灯は、前記ダイオードブリッジ回路を介して前記セキュリティインターホン室内親機に接続することにより、前記セキュリティインターホン室内親機および前記警報表示灯付玄関子機の間の通話ラインの配線を警報表示灯用の配線として接続した場合に無極性にすることを特徴とするセキュリティインターホン装置。
【請求項２】
前記警報表示灯は発光ダイオードによって構成され、そのカソードを前記ダイオードブリッジ回路の負出力側（Ｐ24c）に接続することを特徴とする請求項１記載のセキュリティインターホン装置。
【発明の詳細な説明】
【技術分野】
【０００１】
本発明はセキュリティインターホン装置に係り、特に、通話が行われる機器の間の配線を無極性にしたセキュリティインターホン装置に関する。
【背景技術】
【０００２】
従来から、この種のセキュリティインターホン装置として、図３の回路ブロック図に示す構成のセキュリティインターホン装置が提案されている。
【０００３】
同図に示す従来例のセキュリティインターホン装置において、セキュリティインターホン室内親機１０１の電源回路１１０は、商用電源（ＡＣ１００Ｖ）について整流／平滑させた直流電源を生成しており、この直流電源は、抵抗（バイアス抵抗）１１５を介して分圧された後、親機通話回路１１４へと印加（供給）され、親機通話回路１１４を駆動させるための動作電源となるばかりでなく、第１の親機側通話端子Ｔ111から第１の伝送線路Ｌ101、警報表示灯付玄関子機１０２の第１の子機側通話端子Ｔ121を介して子機スピーカ１２２およびダイオードブリッジ回路１２４の整流側の一方Ｐ124aへと印加（供給）される。また、ダイオードブリッジ回路１２４に印加（供給）された直流電源は、正出力側Ｐ124dから子機通話回路１２３へと供給され、子機通話回路１２３を駆動させるための動作電源となり、子機通話回路１２３が接続された子機基準電位点は、負出力側Ｐ124c、整流側の他方Ｐ124bから第２の子機側通話端子Ｔ122、第２の伝送線路Ｌ102、セキュリティインターホン室内親機１０１の第２の親機側通話端子Ｔ112を介して親機基準電位点に引き込まれる。
【０００４】
上述のような電源の供給が行われている状態において、セキュリティインターホン室内親機１０１が設置された住戸内に在室中の居住者が親機マイク１１２より送信した音声は、親機通話回路１１４を介して４線／２線変換された音声信号として上述の直流電源に重畳された後、第１の親機側通話端子Ｔ111から第１の伝送線路Ｌ101、警報表示灯付玄関子機１０２の第１の子機側通話端子Ｔ121を介して子機スピーカ１２２へと伝送されることにより、居住者からの受話音声を子機スピーカ１２２にて放音させることができる。一方、警報表示灯付玄関子機１０２が設置された住戸外、例えば、玄関に居る来訪者が子機マイク１２１より送信した音声は、子機通話回路１２３を介して４線／２線変換された音声信号としてダイオードブリッジ回路１２４にて上述の直流電源に重畳された後、第１の子機側通話端子Ｔ121から第１の伝送線路Ｌ101、セキュリティインターホン室内親機１０１の第１の親機側通話端子Ｔ111を介して親機通話回路１１４へと伝送される。この親機通話回路１１４は、警報表示灯付玄関子機１０２からの音声信号を２線／４線変換した後、増幅させて親機スピーカ１１３に出力することにより、来訪者からの受話音声を親機スピーカ１１３にて放音させることができる。
【０００５】
次に、上述のような電源の供給が行われている状態において、住戸内にてセキュリティ異常、例えば、火災、ガス漏れ、緊急呼び出し等が発生した場合、セキュリティインターホン室内親機１０１のＣＰＵ１１１は、警報受信回路１１６にて受信された警報データに基づいてセキュリティ異常の内容を検出し、警報表示灯付玄関子機１０２の警報表示灯１２０を点滅させるために電流信号としての警報表示灯信号を制御信号送出回路１１７から出力させる。この警報表示灯信号は、制御信号送出回路１１７から親機側制御端子Ｔ113、第３の伝送線路Ｌ103、警報表示灯付玄関子機１０２の子機側制御端子Ｔ123、警報表示灯１２０を構成する発光ダイオードのアノード、カソード、第２の子機側通話端子Ｔ122、第２の伝送線路Ｌ102、セキュリティインターホン室内親機１０１の第２の親機側通話端子Ｔ112を介して親機基準電位点へと引き込まれ、警報表示灯１２０を構成する発光ダイオードのアノード、カソード間が間欠したタイミングで導通／非導通を繰り返すことにより、警報表示灯１２０を点滅させることができる。
【０００６】
なお、従来例のセキュリティインターホン装置については、記載すべき先行技術文献情報はない。
【発明の開示】
【発明が解決しようとする課題】
【０００７】
しかしながら、従来例のセキュリティインターホン装置において、警報表示灯付玄関子機１０２の警報表示灯１２０を点滅させるためには、セキュリティインターホン室内親機１０１の第２の親機側通話端子Ｔ112と警報表示灯付玄関子機１０２の第２の子機側通話端子Ｔ122とが第２の伝送線路Ｌ102を介して予め接続されていなければならず、セキュリティインターホン室内親機１０１および警報表示灯付玄関子機１０２の間の通話ラインの配線が有極性となる難点があった。
【０００８】
本発明は、上述の難点を解消するためになされたもので、警報表示灯付玄関子機の警報表示灯を点滅させるにあたり、セキュリティインターホン室内親機および警報表示灯付玄関子機の間の通話ラインの配線を警報表示灯用の配線として接続した場合において、通話ラインの配線を無極性にすることができるセキュリティインターホン装置を提供することを目的としている。
【課題を解決するための手段】
【０００９】
上述の目的を達成するため、本発明の第１の態様であるセキュリティインターホン装置は、セキュリティインターホン室内親機から警報表示灯付玄関子機へと電源を供給し、警報表示灯付玄関子機のマイクはダイオードブリッジ回路を介してセキュリティインターホン室内親機に、警報表示灯付玄関子機のスピーカはセキュリティインターホン室内親機に接続してセキュリティインターホン室内親機および警報表示灯付玄関子機の間で通話を行うとともに、セキュリティインターホン室内親機からの警報表示灯信号により警報表示灯付玄関子機の警報表示灯を点滅させる当該装置である。警報表示灯は、ダイオードブリッジ回路を介してセキュリティインターホン室内親機に接続することにより、セキュリティインターホン室内親機および警報表示灯付玄関子機の間の通話ラインの配線を警報表示灯用の配線として接続した場合に無極性にするものである。
【００１０】
また、本発明の第２の態様は本発明の第１の態様であるセキュリティインターホン装置において、警報表示灯は発光ダイオードによって構成され、そのカソードをダイオードブリッジ回路の負出力側に接続するものである。
【発明の効果】
【００１１】
本発明のセキュリティインターホン装置によれば、セキュリティインターホン室内親機との間で通話ラインを形成するために警報表示灯付玄関子機に備えられるダイオードブリッジ回路の負出力側を、警報表示灯を構成する発光ダイオードのカソードに接続することにより、警報表示灯を点滅させるにあたり、通話ラインの配線を警報表示灯用の配線として接続した場合において当該通話ラインの配線を無極性にすることができる。
【発明を実施するための最良の形態】
【００１２】
以下、本発明のセキュリティインターホン装置を適用した最良の実施の形態例について、図面を参照して説明する。
【００１３】
図１は、本発明の実施例によるセキュリティインターホン装置として、第１の構成例を示す回路ブロック図である。
【００１４】
図１の回路ブロック図に示すセキュリティインターホン装置は、住戸内に設置されたセキュリティインターホン室内親機１と住戸外、例えば、玄関に設置された警報表示灯付玄関子機２とが第１、第２、第３の各伝送線路Ｌ1、Ｌ2、Ｌ3を介して接続されて構成されている。
【００１５】
また、同図に示すセキュリティインターホン装置において、セキュリティインターホン室内親機１には、商用電源（ＡＣ１００Ｖ）について整流／平滑させた直流電源を生成するための電源回路１０と、当該セキュリティインターホン室内親機の構成各部を制御するためのＣＰＵ１１と、住戸内に在室中の居住者が玄関に居る来訪者との間で通話を成立させるための音声を送受信するマイク（以下、親機マイクという。）１２およびスピーカ（以下、親機スピーカという。）１３と、基準電位点（以下、親機基準電位点という。）に接続され、親機マイク１２より送信された音声を４線／２線変換して第１の伝送線路Ｌ1が接続された第１の親機側通話端子Ｔ11に出力するとともに、第２の伝送線路Ｌ1が接続された第２の親機側通話端子Ｔ12より伝送されてきた音声（音声信号）を２線／４線変換した後、増幅させて親機スピーカ１３に出力するための通話回路（以下、親機通話回路という。）１４と、電源回路２０からの直流電源について分圧し、分圧させた直流電源を第１の親機側通話端子Ｔ11に印加（供給）するとともに、親機通話回路１４を駆動させるための動作電源として供給する抵抗（バイアス抵抗）１５と、住戸内にて発生したセキュリティ異常、例えば、火災、ガス漏れ、緊急呼び出し等を示す警報データを受信するための警報受信回路１６と、ＣＰＵ１１により制御され、警報表示灯付玄関子機２の後述する警報表示灯２０を点滅させるために、電流信号としての警報表示灯信号を第３の伝送線路Ｌ3が接続された親機側制御端子Ｔ13に出力するための制御信号送出回路１７とが備えられており、第２の伝送線路Ｌ2が接続された第２の親機側通話端子Ｔ12は、親機基準電位点に接続されている。
【００１６】
さらに、同図において、警報表示灯付玄関子機２には、アノードに第３の伝送線路Ｌ3が接続された子機側制御端子Ｔ23、カソードに後述するダイオードブリッジ回路２４の負出力側Ｐ24cおよび基準電位点（以下、子機基準電位点という。）がそれぞれ接続され、セキュリティインターホン室内親機１からの警報表示灯信号により点滅される発光ダイオードによって構成された警報表示灯２０と、来訪者が居住者との間で通話を成立させるための音声を送信するマイク（以下、子機マイクという。）２１と、一端が第１の伝送線路Ｌ1に接続された第１の子機側通話端子Ｔ21、ダイオードブリッジ回路２４の整流側の一方Ｐ24aにそれぞれ接続され、来訪者が居住者との間で通話を成立させるための音声を受信するスピーカ（以下、子機スピーカという。）２２と、子機基準電位点に接続され、子機マイク３１より送信された音声信号を４線／２線変換してダイオードブリッジ回路２４の正出力側Ｐ24dに出力するための通話回路（以下、子機通話回路という。）２３と、セキュリティインターホン室内親機１から供給される直流電源を全波整流するためのダイオードブリッジ回路２４とが備えられており、第２の伝送線路Ｌ2が接続された第２の子機側通話端子Ｔ22は、親機スピーカ２２の他端、ダイオードブリッジ回路２４の整流側の他方Ｐ24bにそれぞれ接続されている。
【００１７】
このように構成された本発明の実施例によるセキュリティインターホン装置において、以下、具体的な動作について説明する。
【００１８】
図１の回路ブロック図において、セキュリティインターホン室内親機１の電源回路１０は、商用電源（ＡＣ１００Ｖ）について整流／平滑させた直流電源を生成しており、この直流電源は、抵抗（バイアス抵抗）１５を介して分圧された後、親機通話回路１４へと印加（供給）され、親機通話回路１４を駆動させるための動作電源となるばかりでなく、第１の親機側通話端子Ｔ11から第１の伝送線路Ｌ1、警報表示灯付玄関子機２の第１の子機側通話端子Ｔ21を介して子機スピーカ２２およびダイオードブリッジ回路２４の整流側の一方Ｐ24aへと印加（供給）される。また、ダイオードブリッジ回路２４に印加（供給）された直流電源は、正出力側Ｐ24dから子機通話回路２３へと供給され、子機通話回路２３を駆動させるための動作電源となり、子機通話回路２３が接続された子機基準電位点は、負出力側Ｐ24c、整流側の他方Ｐ24bから第２の子機側通話端子Ｔ22、第２の伝送線路Ｌ2、セキュリティインターホン室内親機１の第２の親機側通話端子Ｔ12を介して親機基準電位点に引き込まれる。
【００１９】
上述のような電源の供給が行われている状態において、セキュリティインターホン室内親機１が設置された住戸内に在室中の居住者が親機マイク１２より送信した音声は、親機通話回路１４を介して４線／２線変換された音声信号として上述の直流電源に重畳された後、第１の親機側通話端子Ｔ11から第１の伝送線路Ｌ1、警報表示灯付玄関子機２の第１の子機側通話端子Ｔ21を介して子機スピーカ２２へと伝送されることにより、居住者からの受話音声を子機スピーカ２２にて放音させることができる。一方、警報表示灯付玄関子機２が設置された玄関に居る来訪者が子機マイク２１より送信した音声は、子機通話回路２３を介して４線／２線変換された音声信号としてダイオードブリッジ回路２４にて上述の直流電源に重畳された後、第１の子機側通話端子Ｔ21から第１の伝送線路Ｌ1、セキュリティインターホン室内親機１の第１の親機側通話端子Ｔ11を介して親機通話回路１４へと伝送される。この親機通話回路１４は、警報表示灯付玄関子機２からの音声信号を２線／４線変換した後、増幅させて親機スピーカ１３に出力することにより、来訪者からの受話音声を親機スピーカ１３にて放音させることができる。
【００２０】
なお、上述までの動作は従来例の該当動作と同様である。
【００２１】
次に、上述のような電源の供給が行われている状態において、住戸内にてセキュリティ異常、例えば、火災、ガス漏れ、緊急呼び出し等が発生した場合、セキュリティインターホン室内親機１のＣＰＵ１１は、警報受信回路１６にて受信された警報データに基づいてセキュリティ異常の内容を検出し、警報表示灯付玄関子機２の警報表示灯２０を点滅させるために電流信号としての警報表示灯信号を制御信号送出回路１７から出力させる。この警報表示灯信号は、制御信号送出回路１７から親機側制御端子Ｔ13、第３の伝送線路Ｌ3、警報表示灯付玄関子機２の子機側制御端子Ｔ23、警報表示灯２０を構成する発光ダイオードのアノード、カソード、ダイオードブリッジ回路２４の負出力側Ｐ24c、整流側の他方Ｐ24b、第２の子機側通話端子Ｔ22、第２の伝送線路Ｌ2、セキュリティインターホン室内親機１の第２の親機側通話端子Ｔ12を介して親機基準電位点へと引き込まれ、警報表示灯２０を構成する発光ダイオードのアノード、カソード間が間欠したタイミングで導通／非導通を繰り返すことにより、警報表示灯２０を点滅させることができる。
【００２２】
ここで、警報表示灯付玄関子機２の警報表示灯２０を点滅させるにあたり、上述の第１の構成例を適用した説明では、セキュリティインターホン室内親機１の第１、第２の各親機側通話端子Ｔ11、Ｔ12と警報表示灯付玄関子機２の第１、第２の各子機側通話端子Ｔ21、Ｔ22とを第１、第２の各伝送線路Ｌ1、Ｌ2を介してそれぞれ接続した場合について説明したが、図２の回路ブロック図に示すように、セキュリティインターホン室内親機１の第１の親機側通話端子Ｔ11と警報表示灯付玄関子機２の第２の子機側通話端子Ｔ22とを第１、第２の各伝送線路Ｌ1、Ｌ2のうち何れか一方の伝送線路、ここでは、第１の伝送線路Ｌ1を介して接続し、セキュリティインターホン室内親機１の第２の親機側通話端子Ｔ12と警報表示灯付玄関子機２の第１の子機側通話端子Ｔ21とを第１、第２の各伝送線路Ｌ1、Ｌ2のうち何れか一方の伝送線路、ここでは、第２の伝送線路Ｌ2を介して接続した場合において、以下、具体的な動作について説明する。
【００２３】
なお、図２は、本発明の実施例によるセキュリティインターホン装置として、第２の構成例を示す回路ブロック図である。
【００２４】
図２の回路ブロック図において、セキュリティインターホン室内親機１の電源回路１０は、商用電源（ＡＣ１００Ｖ）について整流／平滑させた直流電源を生成しており、この直流電源は、抵抗（バイアス抵抗）１５を介して分圧された後、親機通話回路１４へと印加（供給）され、親機通話回路１４を駆動させるための動作電源となるばかりでなく、第１の親機側通話端子Ｔ11から第１の伝送線路Ｌ1、警報表示灯付玄関子機２の第２の子機側通話端子Ｔ22を介して子機スピーカ２２およびダイオードブリッジ回路２４の整流側の他方Ｐ24bへと印加（供給）される。また、ダイオードブリッジ回路２４に印加（供給）された直流電源は、正出力側Ｐ24dから子機通話回路２３へと供給され、子機通話回路２３を駆動させるための動作電源となり、子機通話回路２３が接続された子機基準電位点は、負出力側Ｐ24c、整流側の一方Ｐ24aから第１の子機側通話端子Ｔ21、第２の伝送線路Ｌ2、セキュリティインターホン室内親機１の第２の親機側通話端子Ｔ12を介して親機基準電位点に引き込まれる。
【００２５】
上述のような電源の供給が行われている状態において、セキュリティインターホン室内親機１が設置された住戸内に在室中の居住者が親機マイク１２より送信した音声は、親機通話回路１４を介して４線／２線変換された音声信号として上述の直流電源に重畳された後、第１の親機側通話端子Ｔ11から第１の伝送線路Ｌ1、警報表示灯付玄関子機２の第２の子機側通話端子Ｔ22を介して子機スピーカ２２へと伝送されることにより、居住者からの受話音声を子機スピーカ２２にて放音させることができる。一方、警報表示灯付玄関子機２が設置された玄関に居る来訪者が子機マイク２１より送信した音声は、子機通話回路２３を介して４線／２線変換された音声信号としてダイオードブリッジ回路２４にて上述の直流電源に重畳された後、第２の子機側通話端子Ｔ22から第１の伝送線路Ｌ1、セキュリティインターホン室内親機１の第１の親機側通話端子Ｔ11を介して親機通話回路１４へと伝送される。この親機通話回路１４は、警報表示灯付玄関子機２からの音声信号を２線／４線変換した後、増幅させて親機スピーカ１３に出力することにより、来訪者からの受話音声を親機スピーカ１３にて放音させることができる。
【００２６】
次に、上述のような電源の供給が行われている状態において、住戸内にてセキュリティ異常、例えば、火災、ガス漏れ、緊急呼び出し等が発生した場合、セキュリティインターホン室内親機１のＣＰＵ１１は、警報受信回路１６にて受信された警報データに基づいてセキュリティ異常の内容を検出し、警報表示灯付玄関子機２の警報表示灯２０を点滅させるために電流信号としての警報表示灯信号を制御信号送出回路１７から出力させる。この警報表示灯信号は、制御信号送出回路１７から親機側制御端子Ｔ13、第３の伝送線路Ｌ3、警報表示灯付玄関子機２の子機側制御端子Ｔ23、警報表示灯２０を構成する発光ダイオードのアノード、カソード、ダイオードブリッジ回路２４の負出力側Ｐ24c、整流側の一方Ｐ24a、第１の子機側通話端子Ｔ21、第２の伝送線路Ｌ2、セキュリティインターホン室内親機１の第２の親機側通話端子Ｔ12を介して親機基準電位点へと引き込まれ、警報表示灯２０を構成する発光ダイオードのアノード、カソード間が間欠したタイミングで導通／非導通を繰り返すことにより、警報表示灯２０を点滅させることができ、警報表示灯２０を点滅させるにあたり、セキュリティインターホン室内親機１および警報表示灯付玄関子機２の間の配線を警報表示灯用の配線として接続した場合、この通話ラインを無極性にすることができる。
【図面の簡単な説明】
【００２７】
【図１】本発明の実施例によるセキュリティインターホン装置において、当該装置の第１の構成例を示す回路ブロック図である。
【図２】本発明の実施例によるセキュリティインターホン装置において、当該装置の第２の構成例を示す回路ブロック図である。
【図３】従来例のセキュリティインターホン装置の構成を示す回路ブロック図である。
【符号の説明】
【００２８】
１……セキュリティインターホン室内親機
２……警報表示灯付玄関子機
２０……警報表示灯
２１……子機マイク（マイク）
２２……子機スピーカ（スピーカ）
２４……ダイオードブリッジ回路
Ｐ24c……（ダイオードブリッジ回路の）負出力側
【図１】
2005109728.tif 000003
【図２】
2005109728.tif 000004
【図３】
2005109728.tif 000005